(57)【要約】【課題】従来の発電機は、風力、水力、火力、原子力等、色々あるが、火力発電においては石油製品を大量に使い、日本においては資源がなく、ほとんど輸入しているもので、多大な金が海外に流出してしまい、また、原子力発電においても福島第一原発の事故発生で、大変危険であり、原発は廃止したほうがよいと思う次第であります。一方、水力、風力、太陽光がありますが、クリーンでありできるだけ早急に全世界の人々が利用できれば幸いであり、本案も同様である。【解決手段】本案空気で電気を発生させる装置は、回転機械を回転させる方法として、回転機械の翼板を、高圧側に於いては圧し、低圧側に於いては吸引して、この工程を空気吸引装置の回転によって同時に行うことにより、回転機械の回転力を大きく取出し得るものである。【選択図】  図１０
2013227959.tif 000002
【特許請求の範囲】
【請求項１】
空気吸引装出装置は、空気吸引の力と、空気送出の（空気の圧力）力を同時に使用して、エネルギーを生産することを目的として、利用価値を、求めたものである。
【請求項２】
固定の円形翼板装着装置は、側壁板２板の間の内側に、翼板溝枠を取り付けて、翼板溝枠と翼板溝枠の間に、翼板セットを取り付けて、その翼板セットには、翼板を取り付け、翼板には、小翼板、発条、翼板丸棒を取り付けて、翼板丸棒は、出没穴に出没自在となるよう設置する。
【請求項３】
回転する回転軸の両平面に、溝を設けて、その溝には、高圧空気が投入される高圧穴を、６カ所設け、一方、反対側の平面には、高圧側から流れてきた空気を、空気吸引送出装置へ送り込むための、低圧穴を、６カ所設置してなるもので固定空気流動管を通り、空気吸引送出装置の空気吸引口へ吸引されてふたたび空気吸引送出装置の回転によって高圧空気となり回転体の高圧穴へ送り込まれ、常にこれを、くりかえすものである。
【請求項４】
回転機械は、固定の中心軸にベアリングを介して円形側壁板２枚を設けて、側壁版の内面には、翼板溝枠を設けて、翼板溝枠と、翼板溝枠の間には、翼板セットを設置してなり、翼板セットには、翼板を設けて、さらに、翼板に設置する小翼板と、翼板丸棒を設け、翼板の内部には小翼板を、中心軸の外周面に衝当させるための発条を設けて成るもので中心軸の外周面に軽く接しながら発条を設置して、翼板の出没運動には、固定の翼板誘導板を、中心軸の外周面より定距離を設けて設置し、側壁板の外周面には、止め板を設け、止め板には翼板丸棒が出没する出没穴を設け、側壁版の外周面にネジ穴を設け、止めネジで固定する。次に中心軸の外周面に高圧側流出口を６か所と、低圧側流入口を６カ所を設置し、高圧側流出口に於いては、空気吸引装置より、流動管を流れてきた高圧空気が、回転機械の内面の側壁板に設けた翼板及び小翼板を圧し、一方低圧側流入口に於いては、高圧側より圧しされてきた翼板及び小翼板を、空気吸引送出装置の回転により、吸引されて回転機械の回転が行われる。さらに、回転機械の側壁板には、回転駆動するプーリーを設けて、発電機を回転させて発電する。
【発明の詳細な説明】
【技術分野】
【０００１】
本案は、空気の流れを利用して、発電するもので、その空気の流れる量は、大量であり、多大なエネルギー源のみなもとである。
【背景技術】
【０００２】
従来風力を利用し発電装置として、風車装置が一般に知られている。例えば、本出願人が先に特許出願した発明がある（特許文献１参照）。
【先行技術文献】
【特許文献】
【０００３】
【特許文献１】特開２０００−２９７７３８号公報
【発明の概要】
【発明が解決しようとする課題】
【０００４】
本案は、風の無い日、曇りの日はもちろん、空気があれば、どのような場所でも発電できるものである。
【課題を解決するための手段】
【０００５】
本案は、空気の流れを、空気吸引送出装置を、使用のため空気を吸引する時に空気を送出するために（同時に行われる）吸引力と送出する力を利用して、回転する機械を、回転させて、エネルギーを取り出し、この時に空気吸引送出装置を高速回転させるため、大量の空気の流れができ、本案によって、空気の流れをつくっている空気吸引送出装置の動力源を、回転体・回転機械が、大きく上回る予定（４倍以上）である。
【発明の効果】
【０００６】
本案は、環境破壊を防ぎ、地球温暖化を、防止して１００パーセント安全な文化を、提供するものである。
【図面の簡単な説明】
【０００７】
【図１】本案空気で電気を、発生させる装置の、従断説明図であり、回転体と翼板装置の図２におけるＡ−Ａ線断面図である。
【図２】固定の円形翼板装着装置の平面図と、回転運動する回転体の平面図である。
【図３】空気吸引送出装置の空気吸入口側から見た説明図である。
【図４】翼板セットの説明図である。（図１）（図２）に使用。
【図５】翼板セットの、固定ネジ止めの説明図である。
【図６】翼板溝枠の取り付け説明図である。
【図７】翼板丸棒が、出没運動する出没穴の取り付け説明図である。
【図８】側壁版４０に取り付けた固定空気流動管の取り付け説明図である。
【図９】本案空気で電気を発生させる装置の固定の中心軸の縦断面図であり、回転機械と中心軸の図１０におけるＢ−Ｂ線断面図である。
【図１０】固定の中心軸の回転機械の平面図である。
【図１１】図１０の中心軸に取り付けた流動管の取り付け説明図である。
【図１２】図１１の（１）図におけるＣ−Ｃ線断面図
【図１３】翼板セットの説明図である。（図９）（図１０）に使用
【図１４】固定ネジ止め２（５６）の説明図である
【発明を実施するための形態】
【０００８】
本発明空気で電気を発生させる装置を図に基づいて本発明の実施の形態を、図1について説明すると、固定の円形翼板装着装置（１）は、回転軸（３）に固定の側壁板（４０）２枚をベアリング（２２）を介して、設置して、側壁板（４０）の内側には、翼板溝枠（３５）を取り付けて、翼板溝枠（３５）と翼板溝枠（３５）の問に翼板セット（３７）を取り付け、翼板セット（３７）には、翼板（５）を取り付けて、さらに、翼板（５）の内部には、小翼板（７）・発条（１０）を取り付け、（翼板（５）の内部を発条が入るだけの空間をえぐり取り）そして、翼板丸棒（６）を図４の（３）のように取り付ける。さらに、小翼板（７）に切割溝（１３）を設けて、翼板（５）に差し込み固定ネジ止め（４８）で取り付け翼板（５）の切割溝（１３）を出没自由になるように設定する。次に、翼板（５）に取り付けてある翼板丸棒（６）に発条取り付け棒（２１）を取り付けて発条（１０）を側壁板（４０）の外部の定位置に止めネジ（１５）を設け、取り付けて発条（１０）の引く力を、利用して、翼板（５）を回転軸（３）の回転によって、出没運動するように、導く、この時に小翼板（７）の先端部分が、回転体（３）の外周面（２０）に密着しながら、回転が行われ常に、これをくりかえすことになり、発電機（３６）を回転させて、発電させる。次に、空気吸引送出装置（２）を、説明すると、電動モーター（４）によって、回転する回転軸（３）を回転させて、回転軸（３）に取り付けている吸引機（２）を、回転させ、吸引機（２）は、固定台（２７）に、固定枠（２６）を取り付けて、固定板（２５）で固定させ、固定枠（２６）内に、吸引機（２）を設置し、電動モーター（４）で回転させて、空気吸引と空気送出を同時に、行い、回転体（３）を回転させて、発電機（３６）を回転させ、発電する。又、エアーコンプレッサ（１９）は、固定空気流動管（４５）内部に圧縮空気を、送り込み、大気圧よりも、気体の圧力を高くして適当の圧になったらエアーコンプレッサ（１９）のスイッチを切っておく。常に、空気圧を高くする事によって、回転体（３）の回転力を増大して、さらに、吸引機（２）を、高速回転することによって、流動管（２９）内の空気の流れる速度が増して、効率よく回転体（３）の回転速度及び、動力源（馬力）を増大させて、本案によってエネルギーを、生産する装置である。
次に、図２を、説明すると、固定の翼板装置（１）は、翼板溝枠（３５）を、側壁板（４０）の内面に側壁板（４０）の外面から止めネジ（１５）によって取り付けて、翼板溝（３９）を設け、翼板溝（３９）には、翼板セット（３７）を、取り付け、翼板セット（３７）には、翼板（５）を取り付け、止め板（１７）に出没穴（１８）を設け、翼板丸棒（５）を、出没自在になるよう設定して小翼板（７）の先端部分を回転軸（３）の外周面（２０）に密着しながら、回転が行われる。一方、回転体（３）の平面には、溝（１２）を設け、高圧穴（３１）を定距離を設けて、６カ所設け、回転軸（３）の外周面（２０）に貫通させて、高圧側流出口（３０）に空気を送り込む、又、回転体（３）の裏側の平面（図２）によって説明すると、低圧穴（３４）を設けて、（６カ所）（図２の点線部分の３４）回転体（３）の外周面（２０）に貫通させて低圧側流入口（３３）を設け、（３３）から（３４）方向（←）へ空気は吸引される。
図３の説明、空気吸引送出装置（２）を、空気吸引口（４２）側から見た図であるが、回転軸（３）に羽根板取り付け円形板（９）の、２枚の内面に羽根板（８）を、定距離を設けて、取り付け、空気吸引口（４２）を設け、空気吸引装置（２）の回転によって、遠心力が働き、空気を、外方向（←）へ吹き飛ばして回転体（３）の高圧穴（３１）へ送り込む。
図４の説明、図２の固定の円形翼板装着装置（１）に取り付けるものであるが、（１）図は、翼板セット外枠（５８）であり、固定ネジ止め（４８）を取り付け、ネジ穴（１６）を設ける。（２）図は、翼板セット外枠（５８）の平面図であり、中央に溝（１２）を設け空気出入り口（１４）を設けて回転体（３）の外周面（２０）が通過するときに、高圧側流出口（３０）においては、高圧空気が、溝（１２）を通り空気出入口（１４）へ入り込み、低圧側流入口（３３）が、通過する時は、低圧穴（３４）方向へ吸引される。（３）図は、翼板（５）・小翼板（７）・翼板丸棒（６）・発条（１０）の組立図であり、翼板（５）の側面を真二つにして小翼板（７）が入り込む・切割溝（１３）を設け、発条穴（１１）を設置して発条（１０）を設け、小翼板（７）を圧するように設置して翼板丸棒（６）を取り付けて、発条カバー（５９）を取り付ける。（４）図は、翼板（５）・翼板丸棒（６）の平面図であり切割溝（１３）を設けて、翼板セット外枠（５８）に組み込まれて、さらに、小翼板（７）を取り付け、翼板（５）の重量を軽くするための穴（５７）を設けて、発条カバー（５９）を取り付けて（固定ネジ止め２）（５６）で固定させる。（５）図は翼板セット（３７）の側面の完成図であり、翼板の厚さを薄くして軽量にして翼板装置に取り付ける。（６）図は、小翼板（７）の図であり、翼板（５）に組み込まれるものであり、切割溝（１３）を設け、固定ネジ止め２（５６）で組み立てる。（７）図は、翼板セット外枠（５８）の平面の図であり、翼板（５）の発条（７）の通り道となる溝（１２）を設けて固定ネジ止め（４８）で組み立てる。（８）図は、（７）図の側面図である。
図５の説明、翼板セット（３７）の固定ネジ止め（４８）の取り付け説明図である。
図６の説明、翼板溝枠（３５）の取り付け説明図であり、側壁板（４０）の内面に取り付け、ネジ穴（１６）を設ける。
図７の説明、固定の円形翼板装着装置（１）の外周面に、翼板（５）に取り付けた、翼板丸棒（６）が、出没する、出没穴（１８）の取り付け説明図である。
図８の説明、側壁板（４０）の説明図であるが、（１）図は、図１の側壁板（４０）を、向かって右方向から見た図面であり、高圧側流入口（２８）を、６か所設けて、回転体（３）に、溝（１２）を設けた説明図である。次に（２）図を説明すると、図１の側壁板（４０）を向かって左方向から見た図面であり、低圧側流出口（３２）を、６か所設けて、回転体（３）に溝（１２）を設けた図面である。
図９の説明、本案空気で電気を発生させる装置の固定の中心軸（５１）を、使用した縦断説明図であり、中心軸（５１）を、固定して回転機械（５０）を設置した所の図面であり、翼板（５）の出没を誘導する翼板誘導板（４９）を設けて、翼板（５）の出没運動をスムーズにすることを目的として成るもので固定板（２５）で固定する。
本案に於いては、空気吸引送出装置（２）を、高速回転させて、更にエアーコンプレッサ―（１９）で高圧にして（流動管内部及び回転機械内）、回転機械（５０）に送り込むので、回転機械（５０）の回転速度、回転力が強力になるもので、本案によってエネルギーを使用してエネルギーを生産することを目的とした新しいエネルギーである。
図１０の説明、本案空気で電気を発生させる装置の回転機械（５０）の平面図であり、中心軸（５１）を固定して、回転機械（５０）を回転させて、中心軸（５１）の平面に高圧穴（３１）を６カ所設け、中心軸（５１）の外周面（５２）に貫通させ、高圧側流出口（３０）を設け、一方反対側の平面には、低圧穴（３４）を６カ所設け、中心軸（５１）の外周面（５２）の低圧側流入口（３３）に貫通させ、図１１の（２）図の低圧側流出口（３２）へ流れ出る。また、高圧側流出口（３０）によって翼板（５）を回転機械（５０）の回転方向（矢印）へ圧し、一方、低圧側流入口（３３）によって翼板（５）を空気吸引送出装置の回転により、回転機械（５０）の回転方向側（矢印）へ吸引されて、翼板（５）を、高圧側に於いては圧して、低圧側に於いては吸引して、両方の力を利用するので、大きな力を発揮して、回転機械（５０）は回転される。
図１１の説明、本案の図１０の中心軸（５１）の説明図であり、（１）図は平面図、（２）図は断面図である。
図１２の説明、図１１におけるＣ−Ｃ線断面図であり、駒（５３）を回転体（３）と中心軸（５１）の外周面の凸部（５５）に取り付けて、翼板溝枠の内周面（３８）に接触しながら、回転体（３）及び回転機械（５０）は回転されて、高圧側流出口（３０）の空気が逆流しない様に取り付けてなるものである。
図１３の説明、図９、図１０に使用する翼板セットの説明図であり、翼板の出没運動に使用する翼板誘導板（４９）を取り付けて固定板（２５）で固定させて、回転機械（５０）を回転させて、一方、（４）図の翼板（５）の穴（５７）においては翼板（５）の重さを軽くするよう穴（５７）を設けたのである。
図１４の説明、図１３の（３）図、（４）図、（５）図の翼板（５）に取り付けてある固定ネジ止め（５６）の図で、翼板（５）の内部に小翼板（７）を設ける為の固定ネジ止め（５６）であり、小翼板（７）が出没できるように定距離を設けて取り付ける。
【符号の説明】
【０００９】
１  固定の円形翼板装着装置・翼板装置
２  空気吸引送出装置・吸引機・送風機
３  回転軸・回転体
４  電動モーター
５  翼板
６  翼板丸棒
７  小翼板
８  羽根板
９  羽根板取り付け円形板
１０  発条
１１  発条穴
１２  溝
１３  切割溝
１４  空気出入り口
１５  止めネジ
１６  ネジ穴
１７  止め板
１８  出没穴
１９  エアーコンプレッサ―
２０  回転体の外周面
２１  発条取付棒
２２  ベアリング
２３  プーリー
２４  Ｖベルト
２５  固定板
２６  固定枠
２７  固定台
２８  高圧側流入口・高圧側
２９  流動管
３０  高圧側流出口
３１  高圧穴
３２  低圧側流出口・低圧側
３３  低圧側流入口
３４  低圧穴
３５  翼板溝枠
３６  発電機
３７  翼板セット（外枠）
３８  翼板溝枠の内周面
３９  翼板溝
４０  側壁板
４１  空気吸引装置
４２  空気吸引口
４３  発条取付棒の取り付け穴
４４  ベアリングカバー
４５  固定空気流動管  
４６  回転軸ズレ止めリング
４７  矢印＝回転方法・進む方向・空気の流れ方向
４８  固定ネジ止め（１）
４９  翼板誘導板
５０  回転機械
５１  中心軸
５２  中心軸の外周面
５３  駒
５４  流動枠
５５  凸部
５６  固定ネジ止め（２）
５７  穴
５８  翼板セット外枠
５９  発条カバー
【図１】
2013227959.tif 000003
【図２】
2013227959.tif 000004
【図３】
2013227959.tif 000005
【図４】
2013227959.tif 000006
【図５】
2013227959.tif 000007
【図６】
2013227959.tif 000008
【図７】
2013227959.tif 000009
【図８】
2013227959.tif 000010
【図９】
2013227959.tif 000011
【図１０】
2013227959.tif 000012
【図１１】
2013227959.tif 000013
【図１２】
2013227959.tif 000014
【図１３】
2013227959.tif 000015
【図１４】
2013227959.tif 000016
【手続補正書】
【提出日】平成24年7月9日(2012.7.9)
【手続補正１】
【補正対象書類名】図面
【補正対象項目名】図４
【補正方法】変更
【補正の内容】
【図４】
2013227959.tif 000017
【手続補正書】
【提出日】平成25年2月14日(2013.2.14)
【手続補正１】
【補正対象書類名】図面
【補正対象項目名】全図
【補正方法】変更
【補正の内容】
【図１】
2013227959.tif 000018
【図２】
2013227959.tif 000019
【図３】
2013227959.tif 000020
【図４】
2013227959.tif 000021
【図５】
2013227959.tif 000022
【図６】
2013227959.tif 000023
【図７】
2013227959.tif 000024
【図８】
2013227959.tif 000025
【図９】
2013227959.tif 000026
【図１０】
2013227959.tif 000027
【図１１】
2013227959.tif 000028
【図１２】
2013227959.tif 000029
【図１３】
2013227959.tif 000030
【図１４】
2013227959.tif 000031